(57)【特許請求の範囲】
【請求項１】
枠体と、側板カバーとを備え、前記枠体は、一対の対向して配設された側壁と、該側壁を繋ぐ上壁と、前記側壁及び前記上壁で囲まれた解放部とを有し、前記側壁に第１舌片部を設け、前記側面カバーは、平板部と、該平板部から前記第一舌片部に対向する方向に突出した第二舌片部とを有し、前記第二舌片部に突出部を設け、前記突出部は、前記第二舌片部の側端面から前記第二舌片部の面方向に突出し、前記突出部の先端部を前記側面カバーの内方に折り曲げた折曲部を形成し、前記枠体の前記解放部に、前記側面カバーを被せ、前記突出部が、前記第一舌片部にガイドされて、前記第二舌片部を前記側壁に係合させたことを特徴とする電子機器。
【請求項２】
前記側面カバーに爪部を設け、該爪部を前記枠体の前記上壁に係合させたことを特徴とする請求項１記載の電子機器。
【請求項３】
前記折曲部の表面は、前記第二舌片部の突出方向に沿って傾斜した傾斜面となり、該傾斜面が前記第一舌片部にガイドされるようにしたことを特徴とする請求項１、又は２記載の電子機器。
【請求項４】
前記枠体の前記第一舌片部に前記解放部を覆うようにプリント配線基板を取り付け、前記折曲部の角部にテーパ部を設け、該テーパ部が前記プリント配線基板の端部を乗り越えて前記側面カバーが前記枠体に取り付けられたことを特徴とする請求項１から３のいずれかに記載の電子機器。
【請求項５】
前記折曲部が前記プリント配線基板の表面側に突出した状態で取り付けられたことを特徴とする請求項４記載の電子機器。
【請求項６】
前記側壁の前記第一舌片部の先端角部が円弧状であることを特徴とする請求項１記載の電子機器。
【発明の詳細な説明】
【０００１】
【発明の属する技術分野】
本発明は、電子機器に関し、特に、ＦＭラジオチューナや、テレビジョンチューナなどの電子機器に関する。
【０００２】
【従来の技術】
従来の電子機器について、図面を用いて説明する。図７は、従来の電子機器を示す要部分解斜視図、図８は、図７のＡ部の拡大図、図９は、図８の断面図、図１０は、従来の電子機器を示す要部断面図である。
図７〜図１０に示すように、枠体１は、金属板を切断、折り曲げ加工することによってコの字状に形成され、該枠体１は、一対の対向して配設された側壁１ａと、該側壁１ａを繋ぐ上壁１ｂと、前面側に開放された開放部１ｃと、後面側に開放された開放部１ｄとを有している。
また、側壁１ａには、後面側に突出された矩形の第一舌片部１ｅと、該第一舌片部１ｅの略付け根部に形成された矩形の孔１ｆと、下方に突出された脚部１ｇとが設けられている。
また、上壁１ｂの略中央部には、矩形の孔１ｈが設けられている。
【０００３】
プリント配線基板２は、平板状の例えばガラス入りエポキシ樹脂材料から成り、図示していないが、一方の面側には、集積回路（ＩＣ）やコイルや電解コンデンサーなどが載置され、他方の面側には、チップ抵抗器やチップコンデンサーなどが載置され、一方の端部（下方端）には、複数本の端子が外方に突出されるように固着されている。
また、プリント配線基板２は、枠体１の開放部１ｄに一方の面側を内側にして枠体１の第一舌片部１ｅに保持されて配置され、プリント配線基板２の図示していない他方の面側の接地パターンは、枠体１と半田によって接続され、これによって、プリント配線基板２が枠体１に固定されている。
【０００４】
側面カバー３は、金属板を切断、折り曲げ加工することによって形成され、平板部３ｋと、平板部３ｋの側部を折り曲げられた一対の対向して配設された略矩形の第二舌片部３ａと、平板部３ｋの上部を折り曲げて形成された爪部３ｂとを有している。また、第二舌片部３ａの先端部には、内方に突出する凸部３ｃが設けられ、爪部３ｂの先端部には、内方に突出する凸部３ｄが設けられている。
また、側面カバー３は、枠体１の開放部１ｄに配設されたプリント配線基板２を覆うように配設されている。この状態のとき、側面カバー３の第二舌片部３ａは、枠体１の第一舌片部１ｅと対向して配設され、第二舌片部３ａの凸部３ｃが、側壁１ａの孔１ｆに係合し、また、爪部３ｂの凸部３ｄは、上壁１ｂの孔１ｈに係合している。
【０００５】
次に、この電子機器の組み立てについて説明する。
まず、集積回路（ＩＣ）やチップ抵抗器などが配設されたプリント配線基板２を枠体１の開放部１ｄに組み込み、プリント配線基板２の図示していない接地パターンを枠体１に半田付けし、接続・固定する。
【０００６】
次に、枠体１の開放部１ｄに配設されたプリント配線基板２側に、プリント配線基板２の面に対して側面カバー３を平行である状態を維持しながら重ね合わせるように移動（図８、図９参照：矢印Ａ方向）して、図１０に示すように側面カバー３の第二舌片部３ａの凸部３ｃを、枠体１の側壁１ａの孔１ｆに係合させ、また、爪部３ｂの凸部３ｄを、上壁１ｂの孔１ｈに係合させて、側面カバー３が枠体１に組み込まれて、この電子機器の組み立ては完了する。
【０００７】
【発明が解決しようとする課題】
しかしながら、従来の電子機器の組み立てでは、プリント配線基板２が組み込まれた枠体１の開放部１ｄに側面カバー３を組み付ける際に、組み付け作業のための基準（支点）となる部材（部位）が、枠体１にも側面カバー３にも形成されておらず、側面カバー３の枠体１への組み込み作業は、目視によって枠体１に対して、側面カバー３を平行に重ね合わせるように移動させて行うことから側面カバー３の枠体１に対する位置決め作業がし難く、手間が掛かり、組み込み難いという問題がある。
【０００８】
また、組み立てられた状態では、枠体１の孔１ｆ、１ｈに、側面カバー３の凸部３ｃ、３ｄが係合しているのみであることから、この電子機器を搬送する際などに、側面カバー３が何かにぶつかったりすると、側面カバー３が枠体１から簡単に外れてしまうという問題がある。
【０００９】
そこで、本発明の電子機器では、上述の問題点を解決するものであり、その目的は、側面カバーの枠体への組み込みが簡単な電子機器を提供することである。
【００１０】
【課題を解決するための手段】
本発明の電子機器は、枠体と、側板カバーとを備え、枠体は、一対の対向して配設された側壁と、側壁を繋ぐ上壁と、側壁及び前記上壁で囲まれた解放部とを有し、側壁に第１舌片部を設け、側面カバーは、平板部と、平板部から第一舌片部に対向する方向に突出した第二舌片部とを有し、第二舌片部に突出部を設け、突出部は、第二舌片部の側端面から第二舌片部の面方向に突出し、突出部の先端部を側面カバーの内方に折り曲げた折曲部を形成し、枠体の解放部に、側面カバーを被せ、突出部が、第一舌片部にガイドされて、第二舌片部を側壁に係合させたことである。
【００１１】
また、本発明の電子機器は、側面カバーに爪部を設け、爪部を枠体の上壁に係合させたことである。
【００１２】
また、本発明の電子機器は、折曲部の表面は、第二舌片部の突出方向に沿って傾斜した傾斜面となり、傾斜面が第一舌片部にガイドされるようにしたことである。
また、本発明の電子機器は、枠体の第一舌片部に開放部を覆うようにプリント配線基板を取り付け、折曲部の角部にテーパ部を設け、テーパ部がプリント配線基板の端部を乗り越えて側面カバーが枠体に取り付けられたことである。
【００１３】
また、本発明の電子機器は、折曲部がプリント配線基板の表面側に突出した状態で取り付けられたことである。
また、本発明の電子機器は、側壁の第一舌片部の先端角部が円弧状であることである。
【００１４】
【発明の実施の形態】
以下に、本発明の電子機器について、図面を用いて説明する。図１は、本発明の電子機器を示す要部分解斜視図、図２は、図１のＡ部の部分拡大図、図３は、図２の断面図である。なお、従来の電子機器と同一構成については、同一符号を付与してある。
【００１５】
図１〜図３に示すように、枠体１は、金属板を切断、折り曲げ加工することによってコの字状に形成され、該枠体１は、一対の対向して配設された側壁１ａと、該側壁１ａを繋ぐ上壁１ｂと、側壁１ａ及び上壁１ｂで囲まれ、前面側に開放された開放部１ｃと、後面側に開放された開放部１ｄとを有している。
また、側壁１ａには、後面側に突出され、先端角部１ｋが円弧状である略矩形の第一舌片部１ｉと、該第一舌片部１ｉに連設された略矩形の切り欠き部１ｊと、該第一舌片部１ｉの略付け根部の所定の位置に形成された矩形の孔１ｆと、下方に突出された脚部１ｇとが設けられている。
また、上壁１ｂの略中央部には、矩形の孔１ｈが設けられている。
【００１６】
プリント配線基板２は、平板状の例えばガラス入りエポキシ樹脂材料から成り、図示していないが、一方の面側には、集積回路（ＩＣ）やコイルや電解コンデンサーなどが載置され、他方の面側には、チップ抵抗器やチップコンデンサーなどが載置され、一方の端部（下方）には、複数本の端子が外方に突出されるように固着されている。
また、プリント配線基板２は、一方の面側を内側にして枠体１の開放部１ｄに枠体１の第一舌片部１ｉに保持されて配置され、プリント配線基板２の図示していない他方の面側の接地パターンは、枠体１と半田によって接続され、これによって、プリント配線基板２が枠体１に固定されている。
【００１７】
側面カバー３は、金属板を切断、折り曲げ加工することによって形成され、平板部３ｋと、平板部３ｋから前記枠体１の第一舌片部１ｉに対向する方向に突出し、一対の対向して配設された略矩形の第二舌片部３ａと、平板部３ｋの上部を折り曲げて形成された爪部３ｂとを有している。また、第二舌片部３ａの先端部には、内方に突出する凸部３ｃが設けられ、また、爪部３ｂの先端部で、且つ略中央部には、内方に突出する凸部３ｄが設けられている。
【００１８】
また、第二舌片部３ａの一方の側端面（図２の下方側）には、略Ｌ字状の突出部３ｆが設けられている。該突出部３ｆは、第二舌片部３ａの側端面から第二舌片部３ａの面方向に突出し、突出部３ｆの先端部を前記側面カバー３の内方に折り曲げられた折曲部３ｈを備えている。
この折曲部３ｈの表面は、第二舌片部３ａの突出方向に沿って下方に傾斜した傾斜面と成っている。また、折曲部３ｈの先端の角部には、テーパ部３ｉが設けられている。
また、側面カバー３は、枠体１の開放部１ｄに配置されたプリント配線基板２を覆うように枠体１に係止されている。
【００１９】
次に、この電子機器の組み立てについて説明する。
図４は、本発明の電子機器の組み立てにおける側壁の第一舌片部と側面カバーの突出部とが当接した状態を説明する説明図、図５は、本発明の電子機器の組み立てにおける側面カバーの突出部のテーパ部とプリント配線基板とが当接した状態を説明する説明図、図６は、本発明の電子機器の組み立てが完了した状態を説明する説明図である。
まず、集積回路（ＩＣ）やチップ抵抗器などが配設されたプリント配線基板２を枠体１の開放部１ｄに組み込み、プリント配線基板２の図示していない接地パターンを枠体１に半田付けによって接続し、これによって、プリント配線基板２が枠体１に固定されている。
【００２０】
次に、枠体１の開放部１ｄに配設されたプリント配線基板２の他方の面を覆うように側面カバー３を枠体１に組み込む際に、先ず、枠体１の上壁１ｂに側面カバー３の爪部３ｂの端面を上壁１ｂに対して少し傾けて当接させる。このとき爪部３ｂの凸部３ｄと上壁１ｂの孔１ｈとは、対向する位置となるようにする。次に、この当接された爪部３ｂの端面を支点にして、側面カバー３の第二舌片部３ａを枠体１の第一舌片部１ｉの方向に回動させて、この回動で第二舌片部３ａの折曲部３ｈの傾斜面が、図４に示すように第一舌片部１ｉの円弧状の先端角部１ｋに当接される。この状態から、側面カバー３の第二舌片部３ａを更に回動させると折曲部３ｈの傾斜面が、第一舌片部１ｉの先端角部１ｋに当接したまま折曲部３ｈにガイドされて第二舌片部３ａが下方に移動される。
【００２１】
この状態から第二舌片部３ａを更に回動させると、図５に示すように突出部３ｆの折曲部３ｈの傾斜するテーパ部３ｉがプリント配線基板２の側端面に弾接され、この弾接されたことで第二舌片部３ａは、枠体１から離れる方向（矢印Ｂ方向）に移動する。そして、更に回動させると、図６に示すように第二舌片部３ａの折曲部３ｈは、第二舌片部３ａのバネ性によって元の状態に戻り、折曲部３ｈは、枠体１の切り欠き部１ｊ内に配設される。このとき、第二舌片部３ａの折曲部３ｈは、プリント配線基板２の一方の表面に突出している状態で取り付けられている。この状態のとき、第二舌片部３ａの凸部３ｃは、側壁１ａの孔１ｆに係合される。これによって、側面カバー３が枠体１に組み込まれて、この電子機器の組み立ては完了する。
【００２２】
この組み立てられた状態のとき、側面カバー３の第二舌片部３ａは、枠体１の第一舌片部１ｉと対向して配置され、また、第二舌片部３ａに設けられた突出部３ｆの折曲部３ｈが、枠体１の切り欠き部１ｊ内に挿通された状態に配置されている。そして、切り欠き部１ｊ内に配置された折曲部３ｈが、プリント配線基板２の一方の表面側に突出されている。
また、爪部３ｂの凸部３ｄは、枠体１の上壁１ｂの孔１ｈに係合している。
【００２３】
【発明の効果】
以上のように、本発明の電子機器は、枠体は、一対の対向して配設された側壁と、該側壁を繋ぐ上壁と、側壁及び上壁で囲まれた開放部とを有し、側壁に第一舌片部を設け、側面カバーは、平板部と、該平板部から第一舌片部に対向する方向に突出した第二舌片部とを有し、第二舌片部に突出部を設け、枠体の開放部に、側面カバーを被せ、突出部が、第一舌片部にガイドされて、第二舌片部を側壁に係合させたことによって、枠体に側面カバーを組み込むとき、側面カバーの第二舌片部に設けられた突出部が、枠体の第一舌片部に誘導・ガイドされるので、組み込み作業が容易になるという効果を奏する。
【００２４】
また、本発明の電子機器は、側面カバーに爪部を設け、該爪部を枠体の上壁に係合させたことによって、側面カバーを枠体に組み込むとき、上壁に爪部を係合させるので、この係合されるとき、ここを組み込み作業の支点とすることで、組み込み作業が一層容易になる。
【００２５】
また、本発明の電子機器は、折曲部の表面は、第二舌片部の突出方向に沿って傾斜した傾斜面となり、該傾斜面が第一舌片部にガイドされるようにしたことによって、ガイドされるのが傾斜面であるので、組み込み作業が滑らかで一層容易になる。
【００２６】
また、本発明の電子機器は、第二舌片部の折曲部がプリント配線基板の表面に突出している状態で取り付けられていることから、側面カバーが外れる方向に動いても折曲部によって、プリント配線基板に確実に係止されるので、側面カバーが枠体から簡単に外れてしまうことがなくなる。
【００２７】
また、本発明の電子機器は、側壁の第一舌片部の先端角部が円弧状であることによって、組み立ての際、先端角部が側面カバーの第二舌片部の突出部と摺接するとき先端角部が円弧状であることから摺接が滑らかに行われ、組み込み作業が容易になるという効果を奏する。
【図面の簡単な説明】
【図１】本発明の電子機器を示す要部分解斜視図である。
【図２】図１のＡ部の拡大図である。
【図３】図２の断面図である。
【図４】本発明の電子機器の組み立てにおける側壁の舌片部と側面カバーの突出部とが当接した状態を説明する説明図である。
【図５】本発明の電子機器の組み立てにおける側面カバーの突出部のテーパ部とプリント配線基板とが当接した状態を説明する説明図である。
【図６】本発明の電子機器の組み立てが完了した状態を説明する説明図である。
【図７】従来の電子機器を示す要部分解斜視図である。
【図８】図７のＡ部の拡大図である。
【図９】図８の断面図である。
【図１０】従来の電子機器を示す要部断面図である。
【符号の説明】
１  枠体
１ａ  側壁
１ｂ  上壁
１ｃ、１ｄ  開放部
１ｉ  第一舌片部
１ｋ  先端角部
２  プリント配線基板
３  側面カバー
３ａ  第二舌片部
３ｂ  爪部
３ｃ、３ｄ  凸部
３ｆ  突出部
３ｈ  折曲部
３ｉ  テーパ部
３ｋ  平板部
【図１】
0003732941.tif 000002
【図２】
0003732941.tif 000003
【図３】
0003732941.tif 000004
【図４】
0003732941.tif 000005
【図５】
0003732941.tif 000006
【図６】
0003732941.tif 000007
【図７】
0003732941.tif 000008
【図８】
0003732941.tif 000009
【図９】
0003732941.tif 000010
【図１０】
0003732941.tif 000011